(57)【要約】  磁力により壁面にテレビ５を取り付けるテレビ取付具１０は、地震によってテレビ５の位置ずれが生じにくくするために、テレビ５の裏面、又は、テレビ５の裏面と対向するようにテレビ５が取り付けられる板状のブラケット６の裏面に対し、貼り付けられる複数の磁性シート１１〜１３を備え、複数の磁性シート１１〜１３は、材料に磁性体が使用された磁性壁１に対し、磁力を利用して貼り付け可能である。
2020101035.tif 000002
【特許請求の範囲】
【請求項１】
壁面にテレビを取り付ける際に使用するテレビ取付具であって、
テレビの裏面、又は、前記テレビの裏面と対向するように前記テレビが取り付けられる板状のブラケットの裏面に対し、貼り付けられる複数の磁性シートを備え、
前記複数の磁性シートは、材料に磁性体が使用された磁性壁に対し、磁力を利用して貼り付け可能である、テレビ取付具。
【請求項２】
前記複数の磁性シートは、前記テレビの裏面又は前記ブラケットの裏面において縦長となるように貼り付けられる縦長シートを少なくとも４枚含む、請求項１に記載のテレビ取付具。
【請求項３】
前記複数の磁性シートは、前記テレビの裏面又は前記ブラケットの裏面において横長となるように貼り付けられる横長シートをさらに含む、請求項２に記載のテレビ取付具。
【請求項４】
前記縦長シートの合計面積は、前記横長シートの合計面積より大きい、請求項３に記載のテレビ取付具。
【請求項５】
前記縦長シートにおいて縦方向に延びる部分の幅は、前記横長シートにおいて横方向に延びる部分の幅より大きい、請求項３又は４に記載のテレビ取付具。
【請求項６】
前記複数の磁性シートは、矩形領域内において互いに重なり合うことなく敷き詰められた状態で包装されている、請求項１乃至５の何れか１つに記載のテレビ取付具。
【請求項７】
前記矩形領域は、縦長であり、
前記複数の磁性シートは、前記矩形領域において縦方向に延びる略Ｌ字状の屈曲シートと、前記屈曲シートより縦方向の長さが短く前記矩形領域において縦方向に延びて前記屈曲シートの内側に配置される長板状シートとを含む、請求項１乃至６の何れか１つに記載のテレビ取付具。
【請求項８】
前記矩形領域内における前記複数の磁性シートの各々は、多極着磁がなされており、着磁方向が前記矩形領域の横方向に略平行である、請求項６又は７に記載のテレビ取付具。
【請求項９】
前記複数の磁性シートの少なくも一部は、当該磁性シートを前記磁性壁に貼り付けるための磁性層と、前記磁性層の片面に直接的に積層された粘着層とを備えている、請求項１乃至８の何れか１つに記載のテレビ取付具。
【請求項１０】
前記複数の磁性シートの少なくも一部は、当該磁性シートを前記磁性壁に貼り付けるための磁性層と、前記磁性層の片面に積層されて振動を吸収するクッション層とを備えている、請求項１乃至８の何れか１つに記載のテレビ取付具。
【請求項１１】
前記複数の磁性シートの少なくも一部は、当該磁性シートを前記磁性壁に貼り付けるための磁性層と、当該磁性シートの厚みを増すために前記磁性層の片面に積層された調節層とを備え、
前記調節層の厚みは、５ｍｍ以上である、請求項１乃至１０の何れか１つに記載のテレビ取付具。
【請求項１２】
前記複数の磁性シートは、前記磁性層と前記調節層の両方を有するタイプの磁性シートと、前記磁性層と前記調節層のうち前記磁性層のみを有するタイプの磁性シートとを含む、請求項１１に記載のテレビ取付具。
【発明の詳細な説明】
【技術分野】
【０００１】
本発明は、壁面にテレビを取り付ける際に使用するテレビ取付具に関する。
【背景技術】
【０００２】
従来から、磁力を利用して物品を貼り付けることができる壁として、材料に磁性体を使用した磁性壁が知られている。特許文献１には、不燃石膏ボードに磁性シートを貼り付けた防火磁性壁が記載されている。【０００３】
また、特許文献２には、磁力を利用して壁面に貼り付ける物品として、薄型の壁掛けテレビが記載されている。この壁掛けテレビは、強磁性体部材が設けられた壁に対し、永久磁石が内蔵された磁力固定部材を介して吊り下げられる。
【先行技術文献】
【特許文献】
【０００４】
【特許文献１】特開２００５−２９０７０７号公報
【特許文献２】特開２０１１−１７２６３５号公報
【発明の概要】
【発明が解決しようとする課題】
【０００５】
ところで、従来は、壁面に取り付けた強磁性体部材のフックにテレビが吊り下げられているため、壁面に対してテレビ側の密着性が低く、地震時にテレビが強磁性体部材のフックを支点にして揺れる。そのため、地震によるテレビの位置ずれを防止することが容易ではない。【０００６】
本発明は、このような事情に鑑みてなされたものであり、磁力により壁面にテレビを取り付けるテレビ取付具であって、地震によってテレビの位置ずれが生じにくいテレビ取付具を提供することを目的とする。
【課題を解決するための手段】
【０００７】
上述の課題を解決するべく、第１の発明は、壁面にテレビを取り付ける際に使用するテレビ取付具であって、テレビの裏面、又は、テレビの裏面と対向するようにテレビが取り付けられる板状のブラケットの裏面に対し、貼り付けられる複数の磁性シートを備え、複数の磁性シートは、材料に磁性体が使用された磁性壁に対し、磁力を利用して貼り付け可能である、テレビ取付具である。【０００８】
第２の発明は、第１の発明において、複数の磁性シートは、テレビの裏面又はブラケットの裏面において縦長となるように貼り付けられる縦長シートを少なくとも４枚含む。【０００９】
第３の発明は、第２の発明において、複数の磁性シートは、テレビの裏面又はブラケットの裏面において横長となるように貼り付けられる横長シートをさらに含む。【００１０】
第４の発明は、第３の発明において、縦長シートの合計面積は、横長シートの合計面積より大きい。【００１１】
第５の発明は、第３又は第４の発明において、縦長シートにおいて縦方向に延びる部分の幅は、横長シートにおいて横方向に延びる部分の幅より大きい。【００１２】
第６の発明は、第１乃至第５の何れか１つの発明において、複数の磁性シートは、矩形領域内において互いに重なり合うことなく敷き詰められた状態で包装されている。【００１３】
第７の発明は、第１乃至第６の何れか１つの発明において、矩形領域は、縦長であり、複数の磁性シートは、矩形領域において縦方向に延びる略Ｌ字状の屈曲シートと、屈曲シートより縦方向の長さが短く矩形領域において縦方向に延びて屈曲シートの内側に配置される長板状シートとを含む。【００１４】
第８の発明は、第６又は第７の発明において、矩形領域内における複数の磁性シートの各々は、多極着磁がなされており、着磁方向が矩形領域の横方向に略平行である。【００１５】
第９の発明は、第１乃至第８の何れか１つの発明において、複数の磁性シートの少なくも一部は、当該磁性シートを磁性壁に貼り付けるための磁性層と、磁性層の片面に直接的に積層された粘着層とを備えている。【００１６】
第１０の発明は、第１乃至第８の何れか１つの発明において、複数の磁性シートの少なくも一部は、当該磁性シートを磁性壁に貼り付けるための磁性層と、磁性層の片面に積層されて振動を吸収するクッション層とを備えている。【００１７】
第１１の発明は、第１乃至第１０の何れか１つの発明において、複数の磁性シートの少なくも一部は、当該磁性シートを磁性壁に貼り付けるための磁性層と、当該磁性シートの厚みを増すために磁性層の片面に積層された調節層とを備え、調節層の厚みは、５ｍｍ以上である。【００１８】
第１２の発明は、第１１の発明において、複数の磁性シートは、磁性層と調節層の両方を有するタイプの磁性シートと、磁性層と調節層のうち磁性層のみを有するタイプの磁性シートとを含む。
【発明の効果】
【００１９】
本発明では、テレビ取付具に含まれる複数の磁性シートが、テレビの裏面、又は、テレビに取り付けられる板状のブラケットの裏面に貼り付けられる。そして、この状態で、磁性壁に対し複数の磁性シートを貼り付けることにより、壁面にテレビを取り付けることができる。本発明によれば、複数の磁性シートを用いることにより、壁面に対してテレビ側（テレビ又はブラケット）の密着性を向上させることができ、地震によってテレビの位置ずれが生じにくいテレビ取付具を提供することができる。
【図面の簡単な説明】
【００２０】
【図１】図１は、実施形態１に係るテレビ取付具を用いて壁面に取り付けるテレビ及びブラケット等の斜視図である。
【図２】図２は、実施形態１に係るテレビ取付具の正面図である。
【図３】図３は、実施形態１に係るテレビ取付具が貼り付けられたブラケット等の背面図である。
【図４】図４は、実施形態１の変形例１に係るテレビ取付具の正面図である。
【図５】図５は、実施形態１の変形例１に係るテレビ取付具が貼り付けられたブラケット等の背面図である。
【図６】図６は、実施形態１の変形例２に係るテレビ取付具の正面図である。
【図７】図７は、実施形態１の変形例２に係るテレビ取付具が貼り付けられたブラケット等の背面図である。
【図８】図８は、実施形態２に係るテレビ取付具の正面図である。
【図９】図９は、実施形態２に係るテレビ取付具が貼り付けられたブラケットの背面図である。
【図１０】図１０（ａ）は、実施形態３に係るテレビ取付具について、磁性シート断面図を含むテレビへの取付状態を示す図であり、図１０（ｂ）は、図１０（ａ）とは磁性シートの断面構造が異なるテレビ取付具のテレビへの取付状態を示す図である。
【発明を実施するための形態】
【００２１】
以下、図１−図１０を参照しながら、本発明の実施形態を詳細に説明する。なお、以下の各実施形態は、本発明の一例であって、本発明、その適用物、あるいはその用途の範囲を制限することを意図するものではない。
【００２２】
実施形態１，２に係るテレビ取付具１０について説明を行う前に、実施形態１，２のテレビ取付具１０を使用するテレビ５について説明を行う。図１に示すように、テレビ５は、板状又はシート状の薄型テレビである。テレビ５は、略矩形状に形成されている。テレビ５の表側には、例えば有機ＥＬディスプレイの映像表示面５ａが設けられている。なお、テレビ５は、有機ＥＬディスプレイ以外のディスプレイを用いたものであってもよい。
【００２３】
テレビ５には、その付属品として、板状のブラケット６が設けられている。ブラケット６は、実施形態１，２に係るテレビ取付具１０により、磁力を利用して磁性壁１に貼り付けることができる。図１では、磁性壁１が、材料に磁性体が使用された磁性ボード１ａと、磁性ボード１ａに貼り付けられた壁紙１ｂとで構成されている。なお、ブラケット６は、ネジや釘などの固定具を使用して通常の壁面（磁性体を使用していない壁面）に取り付けることもできる。
【００２４】
ブラケット６は、例えば金属製である。図１に示すブラケット６は、横長の矩形板材に下辺側から矩形の切り欠きを形成した形状をしている。ブラケット６は、左右にそれぞれ設けられた縦長部６ａと、左右の縦長部６ａの上部を接続する横長部６ｂとを備えている。図１では、縦長部６ａと横長部６ｂとの境界を点線で示す。横長部６ｂでは、上部と下部とにそれぞれ複数の長穴が形成されている。なお、ブラケット６は、図１に示す形状のものに限定されない。
【００２５】
磁性壁１に貼り付けられた状態のブラケット６には、テレビ５の裏面と対向するようにテレビ５が取り付けられる。ブラケット６とテレビ５の取付構造は、例えば、ブラケット６の表側に設けられた係合ピンと、テレビ５の裏面に形成されて係合ピンを引っ掛ける凹部とにより構成することができる（図示省略）。ブラケット６の表側（テレビ５側）では、上側の各角部などに係合ピンを設けることができる。
【００２６】
＜実施形態１＞
本実施形態に係るテレビ取付具１０について説明を行う。図２は、包装袋（図示省略）内のテレビ取付具１０を示す。テレビ取付具１０は、壁面にテレビ５を取り付ける際に使用されるものであり、矩形領域３０を形成するシート上に複数の磁性シート１１〜１３を備えている。複数の磁性シート１１〜１３は、縦長の矩形領域３０内において互いに重なり合うことなく敷き詰められた状態で包装されている。複数の磁性シート１１〜１３は、左右対称に配置された複数対のシートで構成されている。なお、矩形領域３０における横の長さ：縦の長さは例えば３：５〜１：１であり、テレビ取付具１０は、陳列や取り扱いがしやすい包装形状となっている。
【００２７】
各磁性シート１１〜１３は、磁性体を含有する磁性層と、磁性層の裏面に直接的に積層された粘着層と、粘着層を被覆する剥離シート（例えば剥離紙）とを備えている。各磁性シート１１〜１３は、図１０（ａ）の磁性シート１１ａと同じ断面構造である。但し、図１０（ａ）では剥離シートが剥がされている。各磁性シート１１〜１３は、剥離シートを剥がすことで、磁性層が露出するようにブラケット６の裏面又はテレビ５の裏面に貼り付けることができる。各磁性シート１１〜１３は、後述するクッション層を有しておらず、比較的薄くできる。そのため、テレビ５が壁面から浮いた感じにならず、デザイン性の優れた居室空間にすることができる。なお、各磁性シート１１〜１３に粘着層を設けずに、磁力を利用してブラケット６の裏面などに各磁性シート１１〜１３を貼り付けてもよい。
【００２８】
各磁性シート１１〜１３の磁性層は、バインダー内において磁性材料粉が分散した層である。磁性層は、硬質磁性材料粉を用いた硬質磁性層、又は、軟質磁性材料粉を用いた軟質磁性層である。硬質磁性材料粉を用いる場合、磁性層の成形後などに磁化（着磁）を施すことで、磁性層は磁石としての性質が付与される。例えば、異方性磁石のような性質をもった磁性層とすることもできる。硬質磁性層の場合、各磁性シート１１〜１３は、磁性壁１が磁石としての性質を有しなくても磁性壁１に貼りつく。硬質磁性材料粉には、ネオジウムなどの粉体を用いることができる。一方、軟質磁性材料粉を用いる場合、各磁性シート１１〜１３は、磁石としての性質を有する磁性壁１に貼りつく。
【００２９】
また、磁性層は多極着磁がなされていて、Ｎ極とＳ極が交互に互いに平行に形成されている。図２に示す矩形領域３０内における各磁性シート１１〜１３では、着磁方向（Ｎ極又はＳ極の延伸方向）が矩形領域３０の横方向に略平行である。図２では、各磁性シート１１〜１３の上部にだけ着磁方向を点線で記載している。なお、各磁性シート１１〜１３について、着磁方向が矩形領域３０の縦方向に略平行であってもよい。
【００３０】
図３は、図２に示す各磁性シート１１〜１３をブラケット６の裏面に貼り付けた状態を示す。図３では、ブラケット６に斜めハッチングを付けている。各磁性シート１１〜１３は、ブラケット６の裏面における平坦な領域に貼り付けられている。ブラケット６において各磁性シート１１〜１３が貼り付けられた領域は、ブラケット６の厚さ方向の位置が同じである。この点は、各磁性シート１１〜１３を直接的にテレビ５の裏面に貼りつける場合も同じである。
【００３１】
複数の磁性シート１１〜１３は、左右対称に貼り付けられている。複数の磁性シート１１〜１３は、横方向における縦長部６ａの外側に貼り付けられる第１縦長シート１１と、横方向における縦長部６ａの内側に貼り付けられる第２縦長シート１２と、縦長部６ａと横長部６ｂに跨って貼り付けられる横長シート１３とを２組ずつ備えている。各縦長シート１１，１２は、ブラケット６の裏面（又はテレビ５の裏面）において縦長となるように縦方向に略平行に貼り付けられる。各横長シート１３は、ブラケット６の裏面（又はテレビ５の裏面）において横長となるように横方向に略平行に貼り付けられる。各横長シート１３は、ブラケット６の裏面（又はテレビ５の裏面）の上部に貼り付けられる。
【００３２】
各第１縦長シート１１は、図２における外側上部が切り欠かれた略Ｌ字状に形成されている。各第１縦長シート１１は、矩形領域３０において縦方向に延びる略Ｌ字状の屈曲シートに相当する。各第１縦長シート１１は、矩形領域３０内において最も外側に配置される。
【００３３】
また、各第２縦長シート１２は、途中で幅が変化する長板状に形成されている。各第２縦長シート１２は、屈曲シート１１より縦方向の長さが短く矩形領域３０において縦方向に延びて屈曲シート１１の内側に配置される長板状シートに相当する。各第２縦長シート１２は、矩形領域３０内において各第１縦長シート１１によるＬ字の内側に配置される。
【００３４】
各横長シート１３は、途中で幅が変化する長板状に形成されている。各横長シート１３は、矩形領域３０内において、第１縦長シート１１と第２縦長シート１２に挟まれた横方向の中心部を縦方向に延びている。
【００３５】
＜実施形態１の効果等＞
本実施形態では、テレビ取付具１０に含まれる複数の磁性シート１１〜１３がブラケット６の裏面に貼り付けられる。そして、この状態で、磁性壁１に対し複数の磁性シート１１〜１３を貼り付けることで、磁性壁１の壁面にブラケット６及びテレビ５を取り付けることができる。本実施形態によれば、複数の磁性シート１１〜１３を用いることにより、壁面に対してブラケット６の密着性を向上させることができ、地震によってテレビ５の位置ずれが生じにくいテレビ取付具１０を提供することができる。
【００３６】
また、本実施形態では、テレビ取付具１０が、縦長シート１１，１２を少なくとも４枚含む。また、テレビ取付具１０では、縦長シート１１，１２の方が横長シート１３よりも枚数が多い。また、縦長シート１１，１２の合計面積は、横長シート１３の合計面積より大きい。また、各縦長シート１１，１２において縦方向に延びる部分の幅Ｗ１１，Ｗ１２は、各横長シート１３において横方向に延びる部分の幅Ｗ１３より大きい。そのため、地震時などの縦方向の揺れに抗う力として、磁力に加えて比較的大きな摩擦力が得られるため、地震によってテレビ５の位置ずれがさらに生じにくいテレビ取付具１０を提供することができる。
【００３７】
＜実施形態１の変形例１＞
本変形例に係るテレビ取付具１０は、図４及び図５に示すように、横方向における縦長部６ａの外側に貼り付けられる一対の第１縦長シート１１と、横方向における縦長部６ａの内側に貼り付けられる一対の第２縦長シート１２と、横長部６ｂに貼り付けられる３枚の横長シート１３とを備えている。
【００３８】
各第１縦長シート１１は、矩形領域３０において縦方向に延びる略Ｌ字状の屈曲シートに相当する。各第２縦長シート１２も、矩形領域３０において縦方向に延びる略Ｌ字状の屈曲シートに相当する。本変形例では、大きさが互いに異なる２種類以上の屈曲シート１１,１２が設けられ、大きい屈曲シート１１の内側に小さい屈曲シート１２が配置される。
【００３９】
また、各横長シート１３は、略矩形の長板状に形成されている。各横長シート１３は、矩形領域３０内において各第２縦長シート１２によるＬ字の内側に配置される。各横長シート１３は、ブラケット６の裏面（又はテレビ５の裏面）の上部と下部とにそれぞれ貼り付けられる。
【００４０】
本変形例では、テレビ取付具１０が、縦長シート１１，１２を少なくとも４枚含む。また、テレビ取付具１０では、縦長シート１１，１２の方が横長シート１３よりも枚数が多い。また、縦長シート１１，１２の合計面積は、横長シート１３の合計面積より大きい。また、各縦長シート１１，１２において縦方向に延びる部分の幅Ｗ１１，Ｗ１２は、各横長シート１３において横方向に延びる部分の幅Ｗ１３より大きい。また、縦長シート１１，１２と横長シート１３とでは、縦長シート１１，１２の方が、延伸方向の長さが長い。
【００４１】
＜実施形態１の変形例２＞
本変形例に係るテレビ取付具１０は、図６及び図７に示すように、横方向における縦長部６ａの外側に貼り付けられる一対の第１縦長シート１１と、横方向における縦長部６ａの内側に貼り付けられる一対の第２縦長シート１２と、横長部６ｂに貼り付けられる１枚の横長シート１３とを備えている。
【００４２】
各第１縦長シート１１は、矩形領域３０において縦方向に延びる略Ｌ字状の屈曲シートに相当する。各第２縦長シート１２も、矩形領域３０において縦方向に延びる略Ｌ字状の屈曲シートに相当する。本変形例では、大きさが互いに異なる２種類以上の屈曲シート１１,１２が設けられ、大きい屈曲シート１１の内側に小さい屈曲シート１２が配置される。
【００４３】
また、横長シート１３は、略矩形の長板状に形成されている。横長シート１３は、矩形領域３０内において、第２縦長シート１２に挟まれた横方向の中心部を縦方向に延びている。横長シート１３は、ブラケット６の横長部６ｂにおける縦方向の中心部に貼り付けられる。
【００４４】
＜実施形態２＞
本実施形態は、ブラケット６が実施形態１とは異なる。また、本実施形態に係るテレビ取付具１０は、図８及び図９に示すように、第１矩形領域３０ａと第２矩形領域３０ｂに分けて、複数の磁性シート１１〜１５が配置されている。第１矩形領域３０ａに配置された複数の磁性シート１１〜１３は、図２に示す磁性シート１１〜１３と同じであるため説明は省略する。
【００４５】
第２矩形領域３０ｂでは、３組の磁性シート１４，１５が互いに重なり合うことなく敷き詰められている。各組の磁性シート１４，１５は、縦長部６ａの下部に貼り付けられる２枚の屈曲シート１４と、横長部６ｂの下部に貼り付けられる横長シート１５とにより構成されている。図９に示すように、第２矩形領域３０ｂの磁性シート１４，１５のうち一組だけがブラケット６の裏面に貼り付けられる。
【００４６】
また、本実施形態では、テレビ取付具１０が、縦長シート１１，１２を少なくとも４枚含む。また、テレビ取付具１０では、縦長シート１１，１２の方が横長シート１３よりも枚数が多い。また、縦長シート１１，１２の合計面積は、横長シート１３の合計面積より大きい。そのため、縦方向の揺れに対して、磁力だけでなく比較的大きな摩擦力が得られるため、地震によってテレビ５の位置ずれがさらに生じにくいテレビ取付具１０を提供することができる。
【００４７】
＜実施形態３＞
本実施形態は、図１０（ａ）に示すような、テレビ５の裏面において上側部分２６に比べ下側部分２７が突出している場合のテレビ取付具２０である。下側部分２７の内部は、制御基板など比較的大きめの制御部品の収納空間となっている。
【００４８】
ここで、このようなテレビ５は、下側部分２７だけに磁性シート１１ｂを貼り付けて、磁性壁１の壁面にテレビ５を貼り付けたとしても、上側部分２６のモーメントにより壁面からテレビ５が外れやすくなる。そのため、上側部分２６も壁面に貼り付けることが望ましい。そこで、本実施形態では、図１０（ａ）に示すように、上側部分２６には、下側部分２７の磁性シート１１ｂに比べて厚みが大きい磁性シート１１ａを貼り付けている。
【００４９】
具体的に、テレビ取付具２０は、複数の磁性シート１１が、磁性層２１と調節層２２の両方を有する第１タイプの磁性シート１１ａと、磁性層２１と調節層２２のうち磁性層２１のみを有する第２タイプの磁性シート１１ｂにより構成されている。下側部分２７に貼り付けられる第２タイプの磁性シート１１ｂは、実施形態１のものと同じ層構成である。
【００５０】
第１タイプの磁性シート１１ａは、磁性層２１と、磁性層２１の裏面に積層された調節層２２と、調節層２２の裏面に積層された粘着層２３と、粘着層２３を被覆する剥離シート（図示省略）とを備えている。磁性層２１、粘着層２３及び剥離シートについては、実施形態１と同じものを用いることができる。
【００５１】
調節層２２には、比較的厚みが大きいボード材又はクッション材などを用いることができる。調節層２２の材料としては、テレビ５を支持できる強度を有するものを選択する必要があり、また磁性層２１の磁気吸着力により支持する重量が小さくなるように軽量のものが望ましい。また、調節層２２の厚みは、下側部分２７の突出長に基づいて設計し、図１０（ａ）では下側部分２７の突出長に等しい。第１タイプの磁性シート１１ａの外面と第２タイプの磁性シート１１ｂの外面とは面一となっている。調節層２２の厚みは、例えば１０ｍｍ以上（場合によっては５ｍｍ以上）とすることができる。
【００５２】
第１タイプの磁性シート１１ａとしては、図１０（ａ）の調節層２２にボード材又はクッション材を用いる場合以外に、図１０（ｂ）に示すように、調節層２２が、ボード材によるボード層２２ａと、クッション材によるクッション層２２ｂとを備えていてもよい。これにより、地震時におけるテレビ５の振動をクッション層２２ｂに吸収させることができるため、地震によってテレビ５の位置ずれが生じにくいテレビ取付具２０を提供することができる。なお、図１０（ｂ）では、ボード層２２ａとクッション層２２ｂでクッション層２２ｂを磁性層２１側に配置しているが、ボード層２２ａを磁性層２１側に配置してもよい。
【００５３】
また、実施形態３では、テレビ取付具２０が、第１タイプの磁性シート１１ａと第２タイプの磁性シート１１ｂの両方を有しているが、例えば上側部分２６の面積が下側部分２７に比べて大きい場合などに、テレビ取付具は、複数の第１タイプの磁性シート１１ａのみにより構成してもよい。
【００５４】
＜その他の実施形態＞
上記実施形態について、各磁性シート１１〜１５は、振動を吸収するクッション層を有していてもよい。この場合、各磁性シート１１〜１５では、磁性層、クッション層、粘着層、及び剥離シートが、この順番で積層される。クッション層を設けることで、地震時におけるテレビ５の振動がクッション層により吸収されるため、地震によってテレビ５の位置ずれがさらに生じにくいテレビ取付具を提供することができる。
【００５５】
上記実施形態では、テレビ５を側壁に取り付けるためにテレビ取付具１０，２０を使用したが、テレビ５を天井壁に取り付けるためにテレビ取付具１０，２０を使用してもよい。
【産業上の利用可能性】
【００５６】
本発明は、壁面にテレビを取り付ける際に使用するテレビ取付具等に適用可能である。
【符号の説明】
【００５７】
１      磁性壁
５      テレビ
６      ブラケット
１０    テレビ取付具
１１    第１縦長シート（磁性シート）
１２    第２縦長シート（磁性シート）
１３    横長シート（磁性シート）
２０    テレビ取付具
２１    磁性層
２２    調節層
２２ｂ  クッション層
２３    粘着層
３０    矩形領域
【図１】
2020101035.tif 000003
【図２】
2020101035.tif 000004
【図３】
2020101035.tif 000005
【図４】
2020101035.tif 000006
【図５】
2020101035.tif 000007
【図６】
2020101035.tif 000008
【図７】
2020101035.tif 000009
【図８】
2020101035.tif 000010
【図９】
2020101035.tif 000011
【図１０】
2020101035.tif 000012
【国際調査報告】
2020101035.tif 000013
2020101035.tif 000014
2020101035.tif 000015
2020101035.tif 000016